(57)【要約】【課題】使い勝手の良いアラーム機能を実現できる携帯端末装置を提供する。【解決手段】携帯電話機１は、入力操作に基づいて鳴動時刻を設定するアラーム設定部２１と、入力操作に基づいてスケジュールを設定するスケジュール設定部２２と、アラーム制御部２３とを備える。アラーム制御部２３は、スケジュール設定部２２により設定されたスケジュールの中に鳴動時刻を変更する条件を満たすスケジュールがあるか否かの条件判定を行い、鳴動時刻を変更する条件を満たすスケジュールがあると判定した場合に、アラーム設定部２１により設定された鳴動時刻を変更する。さらに、アラーム制御部２３は、鳴動時刻が変更されない場合には、アラーム設定部２１により設定された鳴動時刻に外部スピーカ７を作動させ、鳴動時刻が変更された場合には、変更された鳴動時刻に外部スピーカ７を作動させる。【選択図】図２
2014027503.tif 000002
【特許請求の範囲】
【請求項１】
報知動作を行う報知部と、
入力操作に基づいて作動時刻を設定する第１設定部と、
入力操作に基づいてスケジュールを設定する第２設定部と、
前記第２設定部により設定されたスケジュールの中に作動時刻を変更する条件を満たすスケジュールがあるか否かの条件判定を行う判定部と、
前記判定部により作動時刻を変更する条件を満たすスケジュールがあると判定された場合に、前記第１設定部により設定された作動時刻を変更する時刻変更部と、
前記時刻変更部により作動時刻が変更されない場合には、前記第１設定部により設定された作動時刻に前記報知部を作動させ、前記時刻変更部により作動時刻が変更された場合には、変更された作動時刻に前記報知部を作動させる作動制御部と、
を備える、
ことを特徴とする携帯端末装置。
【請求項２】
請求項１に記載の携帯端末装置において、
前記第２設定部は、設定するスケジュールに対応付けて、前記第１設定部により設定された作動時刻の変更を行うか否かの設定を行い、
前記判定部は、前記第２設定部により作動時刻の変更を行うとの設定がなされたスケジュールがある場合に、作動時刻を変更する条件を満たすスケジュールがあると判定する、ことを特徴とする携帯端末装置。
【請求項３】
請求項１または２に記載の携帯端末装置において、
入力操作に基づいて前記判定部による前記条件判定を行うか否かを設定する第３設定部を、さらに備える、
ことを特徴とする携帯端末装置。
【請求項４】
請求項３に記載の携帯端末装置において、
前記第１設定部は、複数の作動時刻を設定可能であり、
前記第３設定部は、作動時刻毎に、前記判定部による前記条件判定を行うか否かを設定可能である、
ことを特徴とする携帯端末装置。
【請求項５】
請求項１ないし４の何れか一項に記載の携帯端末装置において、
入力操作に基づいて調整時間を設定する第４設定部を、さらに備え、
前記時刻変更部は、前記第４設定部により設定された調整時間だけ前記第１設定部により設定された作動時刻をシフトさせる、
ことを特徴とする携帯端末装置。
【請求項６】
請求項１ないし５の何れか一項に記載の携帯端末装置において、
作動時刻を変更する条件を満たすスケジュールの種類に応じて調整時間を設定する第５設定部を、さらに備え、
前記時刻変更部は、前記第５設定部により設定された調整時間だけ前記第１設定部により設定された作動時刻をシフトさせる、
ことを特徴とする携帯端末装置。
【請求項７】
請求項１ないし６の何れか一項に記載の携帯端末装置において、
前記時刻変更部は、作動時刻を変更する条件を満たすスケジュールが中止される中止条件が満たされたか否かを判定し、前記中止条件が満たされた場合に前記第１設定部より設定された作動時刻の変更を中止する、
ことを特徴とする携帯端末装置。
【請求項８】
入力操作に基づいて作動時刻を設定し、設定された作動時刻に報知部を作動させる機能と、入力操作に基づいてスケジュールを設定する機能とを備えた携帯端末装置のコンピュータに、
設定されたスケジュールの中に作動時刻を変更する条件を満たすスケジュールがあるか否かを判定する機能と、
作動時刻を変更する条件を満たすスケジュールがあると判定された場合に、前記設定された作動時刻を変更する機能と、
作動時刻が変更されない場合には、前記設定された作動時刻に前記報知部を作動させ、作動時刻が変更された場合には、変更された作動時刻に前記報知部を作動させる機能と、を付与するプログラム。
【請求項９】
入力操作に基づいて作動時刻を設定し、設定された作動時刻に報知部を作動させる機能と、入力操作に基づいてスケジュールを設定する機能とを備えた携帯端末装置の報知制御方法であって、
設定されたスケジュールの中に作動時刻を変更する条件を満たすスケジュールがあるか否かを判定するステップと、
作動時刻を変更する条件を満たすスケジュールがあると判定された場合に、前記設定された作動時刻を変更するステップと、
作動時刻が変更されない場合には、前記設定された作動時刻に前記報知部を作動させ、作動時刻が変更された場合には、変更された作動時刻に前記報知部を作動させるステップと、
を含む報知制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび報知制御方法に関する。
【背景技術】
【０００２】
携帯電話機等の携帯端末装置には、通常、アラーム機能のアプリケーションプログラム（以下、単に「アプリケーション」という）が備えられている。ユーザは、アラーム機能のアプリケーションを起動し、所望の鳴動時刻を設定する。設定された鳴動時刻になるとアラームが鳴動する。
【０００３】
上記アラーム機能は、目覚まし時計として活用されることが多い。このような場合、起床時刻にアラームが鳴動するよう、ユーザにより鳴動時刻の設定が行われる（たとえば、特許文献１参照）。
【先行技術文献】
【特許文献】
【０００４】
【特許文献１】特開２００３−６６１７２号公報
【発明の概要】
【発明が解決しようとする課題】
【０００５】
通常、起床時刻は一定である場合が多いが、このような場合であっても、当日のスケジュールによって起床時刻が早まることがある。たとえば、当日、会社の早朝会議のために通常より早く起床しなければならない場合が考えられる。
【０００６】
従来のアラーム機能では、当日のスケジュールにより起床時刻が早まる場合、ユーザが、逐一、アラームの鳴動時刻の設定を変更しなければならない。このような設定の変更は、ユーザにとって面倒である。
【０００７】
そこで、本発明は、使い勝手の良いアラーム機能を実現できる携帯端末装置、プログラムおよび報知制御方法を提供することを目的とする。
【課題を解決するための手段】
【０００８】
本発明の第１の態様に係る携帯端末装置は、報知動作を行う報知部と、入力操作に基づいて作動時刻を設定する第１設定部と、入力操作に基づいてスケジュールを設定する第２設定部と、前記第２設定部により設定されたスケジュールの中に作動時刻を変更する条件を満たすスケジュールがあるか否かの条件判定を行う判定部と、前記判定部により作動時刻を変更する条件を満たすスケジュールがあると判定された場合に、前記第１設定部により設定された作動時刻を変更する時刻変更部と、前記時刻変更部により作動時刻が変更されない場合には、前記第１設定部により設定された作動時刻に前記報知部を作動させ、前記時刻変更部により作動時刻が変更された場合には、変更された作動時刻に前記報知部を作動させる作動制御部と、を備える。
【０００９】
本態様に係る携帯端末装置において、前記第２設定部は、設定するスケジュールに対応付けて、前記第１設定部により設定された作動時刻の変更を行うか否かの設定を行うような構成とされ得る。この場合、前記判定部は、前記第２設定部により作動時刻の変更を行うとの設定がなされたスケジュールがある場合に、作動時刻を変更する条件を満たすスケ
ジュールがあると判定する。
【００１０】
本態様に係る携帯端末装置は、入力操作に基づいて前記判定部による前記条件判定を行うか否かを設定する第３設定部を、さらに備えるような構成とされ得る。
【００１１】
このような構成とされた場合、前記第１設定部は、複数の作動時刻を設定可能であるような構成とされ得る。この場合、前記第３設定部は、作動時刻毎に、前記判定部による前記条件判定を行うか否かを設定可能であるような構成とされる。
【００１２】
本態様に係る携帯端末装置において、入力操作に基づいて調整時間を設定する第４設定部を、さらに備えるような構成とされ得る。この場合、前記時刻変更部は、前記第４設定部により設定された調整時間だけ前記第１設定部により設定された作動時刻をシフトさせる。
【００１３】
本態様に係る携帯端末装置において、作動時刻を変更する条件を満たすスケジュールの種類に応じて調整時間を設定する第５設定部を、さらに備えるような構成とされ得る。この場合、前記時刻変更部は、前記第５設定部により設定された調整時間だけ前記第１設定部により設定された作動時刻をシフトさせる。
【００１４】
本態様に係る携帯端末装置において、前記時刻変更部は、作動時刻を変更する条件を満たすスケジュールが中止される中止条件が満たされたか否かを判定し、前記中止条件が満たされた場合に前記第１設定部より設定された作動時刻の変更を中止するような構成とされ得る。
【００１５】
本発明の第２の態様に係るプログラムは、入力操作に基づいて作動時刻を設定し、設定された作動時刻に報知部を作動させる機能と、入力操作に基づいてスケジュールを設定する機能とを備えた携帯端末装置のコンピュータに、設定されたスケジュールの中に作動時刻を変更する条件を満たすスケジュールがあるか否かを判定する機能と、作動時刻を変更する条件を満たすスケジュールがあると判定された場合に、前記設定された作動時刻を変更する機能と、作動時刻が変更されない場合には、前記設定された作動時刻に前記報知部を作動させ、作動時刻が変更された場合には、変更された作動時刻に前記報知部を作動させる機能と、を付与する。
【００１６】
本発明の第３の態様は、入力操作に基づいて作動時刻を設定し、設定された作動時刻に報知部を作動させる機能と、入力操作に基づいてスケジュールを設定する機能とを備えた携帯端末装置の報知制御方法に関する。本態様に係る報知制御方法は、設定されたスケジュールの中に作動時刻を変更する条件を満たすスケジュールがあるか否かを判定するステップと、作動時刻を変更する条件を満たすスケジュールがあると判定された場合に、前記設定された作動時刻を変更するステップと、作動時刻が変更されない場合には、前記設定された作動時刻に前記報知部を作動させ、作動時刻が変更された場合には、変更された作動時刻に前記報知部を作動させるステップと、を含む。
【発明の効果】
【００１７】
本発明によれば、使い勝手の良いアラーム機能を実現できる携帯端末装置、プログラムおよび報知制御方法を提供することができる。
【００１８】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１９】
【図１】実施の形態に係る、携帯電話機の構成を示す図である。
【図２】実施の形態に係る、携帯電話機の全体構成を示すブロック図である。
【図３】実施の形態に係る、アラーム設定処理の処理手順を示すフローチャートである。
【図４】実施の形態に係る、アラーム設定処理において表示面に表示される画面の例を示す図である。
【図５】実施の形態に係る、スケジュール設定処理の処理手順を示すフローチャートである。
【図６】実施の形態に係る、スケジュール設定処理において表示面に表示される画面の例を示す図である。
【図７】実施の形態に係る、アラーム鳴動処理の処理手順を示すフローチャートおよび繰り上げアラーム実行条件チェック処理の処理手順を示すフローチャートである。
【図８】変更例１に係る、スケジュール設定画面を示す図である。
【図９】変更例１に係る、アラーム設定画面およびスケジュール設定画面を示す図である。
【図１０】変更例２に係る、スケジュール設定画面を示す図である。
【図１１】変更例２に係る、繰り上げアラーム実行条件チェック処理の処理手順を示すフローチャートである。
【図１２】その他の変更例に係る、アラーム設定画面を示す図である。
【発明を実施するための形態】
【００２０】
以下、本発明の実施形態について、図面を参照して説明する。
【００２１】
図１は、携帯電話機１の構成を示す図である。図１（ａ）および（ｂ）は、それぞれ、携帯電話機１の正面図および背面図である。
【００２２】
以下、説明の便宜上、図１に示すように、キャビネット２の長手方向を上下方向と定義し、キャビネット２の短手方向を左右方向と定義する。
【００２３】
携帯電話機１は、キャビネット２と、表示面３と、マイクロフォン４と、通話スピーカ５と、キー操作部６と、外部スピーカ７とを備えている。
【００２４】
キャビネット２は、正面から見て、ほぼ長方形状を有する。キャビネット２の正面には、後述する表示部１３の表示面３が配されている。表示面３には、各種の画像（画面）が表示される。
【００２５】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２６】
キャビネット２の正面には、キー操作部６が設けられている。キー操作部６は、複数の操作キーから構成されている。各操作キーには、実行中のプログラムを操作するための各種の機能が割り当てられる。
【００２７】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００２８】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９とを備えている。
【００２９】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール、等）を含む。プログラムは、メーカによって携帯電話機１の製造時に記憶部１２に記憶される他、ユーザによって通信網や記憶媒体を介して記憶部１２に記憶される。
【００３０】
記憶部１２には、プログラムの実行の際、一時的に利用または生成されるデータを記憶するワーキング領域も含まれる。
【００３１】
記憶部１２は、アラーム情報記憶部１２ａと、スケジュール情報記憶部１２ｂを含む。アラーム情報記憶部１２ａには、後述するアラーム設定処理の実行により、鳴動時刻、音量など、アラーム機能に係る各種の設定情報が記憶される。スケジュール情報記憶部１２ｂには、後述するスケジュール設定処理の実行により、日時、用件、場所など、スケジュール機能に係る各種の設定情報が記憶される。
【００３２】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３３】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３４】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３５】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００３６】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００３７】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対す
るタッチ位置が検出された後、予め定めた第２距離以上タッチ位置が移動すると、制御部１１によりスライド操作がなされたと判定される。
【００３８】
音声入力部１５は、マイクロフォン４等から構成される。音声入力部１５は、マイクロフォン４からの電気信号を音声処理部１７へ出力する。
【００３９】
音声出力部１６は、通話スピーカ５、外部スピーカ７等から構成される。音声出力部１６には、音声処理部１７からの電気信号が入力され、通話スピーカ５または外部スピーカ７から音（音声、報知音等）が出力される。
【００４０】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４１】
キー入力部１８は、キー操作部６の各操作キーが押下されたときに、押下された操作キーに応じた信号を制御部１１へ出力する。
【００４２】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が処理できる形式の信号へ変換し、変換された信号を制御部１１へ出力する。
【００４３】
制御部１１は、アラーム設定部２１と、スケジュール設定部２２と、アラーム制御部２３を備える。アラーム設定部２１は、本発明の第１設定部、第３設定部および第４設定部に相当する。スケジュール設定部２２は、本発明の第２設定部に相当する。アラーム制御部２３は、本発明の判定部、時刻変更部および作動制御部に相当する。
【００４４】
アラーム設定部２１は、後述するアラーム設定処理を実行する。アラーム設定処理において、アラーム設定部２１は、鳴動時刻（本発明の作動時刻に相当）の他、アラーム機能に係る各種の項目の設定を行う。さらに、アラーム設定部２１は、ユーザによる入力操作に基づいて繰り上げアラーム時間（本発明の調整時間に相当）の設定を行う。
【００４５】
繰り上げアラーム時間の設定は、繰り上げアラーム機能の設定を兼ねる。繰り上げアラーム時間が設定されなければ（時間が「０：００」であれば）、繰り上げアラーム機能が設定されていないと看做される。一方、繰り上げアラーム時間が設定されれば、繰り上げアラーム機能が設定されていると看做される。繰り上げアラーム機能が設定されている場合に、後述するアラーム鳴動処理において、アラーム制御部２３により、スケジュール設定部２２により設定されたスケジュールの中に鳴動時刻を変更する条件を満たすスケジュールがあるか否かの条件判定が行われる。
【００４６】
スケジュール設定部２２は、後述するスケジュール設定処理を実行する。スケジュール設定処理において、スケジュール設定部２２は、スケジュールの設定、即ち、日時、用件、場所など、スケジュールに係る詳細項目の設定を行う。さらに、スケジュール設定部２２は、設定されたスケジュールに対応付けて、アラーム設定部２１により設定された鳴動時刻を変更するか（繰り上げるか）否かの設定を行う。
【００４７】
アラーム制御部２３は、後述するアラーム鳴動処理を実行する。アラーム鳴動処理において、アラーム制御部２３は、スケジュール設定部２２により設定されたスケジュールの
中に鳴動時刻を変更する条件を満たすスケジュールがあるか否かの条件判定を行う。より具体的には、アラーム制御部２３は、上記条件判定として、スケジュール設定部２２により鳴動時刻の変更を行うとの設定がなされたスケジュールがあるか否かを判定する。さらに、アラーム制御部２３は、鳴動時刻を変更する条件を満たすスケジュールがある場合、即ち、スケジュール設定部２２により鳴動時刻の変更を行うとの設定がなされたスケジュールがある場合、アラーム設定部２１により設定された鳴動時刻を変更する（繰り上げる）。さらに、アラーム制御部２３は、鳴動時刻時が変更されない場合には、アラーム設定部２１により設定された鳴動時刻に外部スピーカ７を作動させ、鳴動時刻が変更された場合には、変更された鳴動時刻に外部スピーカ７を作動させる。
【００４８】
さて、表示面３には、初期画面として、たとえば、ホーム画面が表示される。ホーム画面には、各アプリケーションに対応するアイコンが配される。ユーザは、たとえば、目覚まし時計として、アラーム機能のアプリケーションを利用する場合、各種のアイコンの中からアラーム機能のアプリケーションに対応するアイコンを押下（タッチ）する。これにより、アラーム機能のアプリケーションが起動する。その後、ユーザにより、アラーム設定のための操作がなされると、アラーム設定部２１により、アラーム設定処理が実行される。
【００４９】
図３は、アラーム設定処理の処理手順を示すフローチャートである。図４は、アラーム設定処理において表示面３に表示される画面の例を示す図である。
【００５０】
図３および図４を参照し、アラーム設定処理について説明する。
【００５１】
処理が開始されると、アラーム設定部２１は、図４（ａ）に示すようなアラーム一覧画面を表示面３に表示する（Ｓ１０１）。
【００５２】
本実施の形態では、複数のアラーム（たとえば、アラーム１〜アラーム５の５つのアラーム）、即ち、複数の鳴動時刻を設定することができる。アラーム一覧画面には、複数のアラーム設定ボタン１０１が配列される。さらに、アラーム一覧画面には、キャンセルボタン１０２と完了ボタン１０３が配される。
【００５３】
アラーム設定部２１は、完了ボタン１０３が押下されたか否かを判定し（Ｓ１０２）、押下されていないと判定すると（Ｓ１０２：ＮＯ）、何れかのアラーム設定ボタン１０１が押下されることにより何れかのアラームが選択されたか否かを判定する（Ｓ１０３）。
【００５４】
アラーム設定部２１は、何れかのアラームが選択されると（Ｓ１０３：ＹＥＳ）、選択されたアラームに関する各種設定を行うためのアラーム設定画面を表示面３に表示する（Ｓ１０４）。図４（ｂ）に示すように、アラーム設定画面には、各種設定を行うためのボタンとして、たとえば、アラームの鳴動時刻を設定するための項目設定ボタン１０４ａ、アラーム音を設定するための項目設定ボタン１０４ｂ、音量を設定するための項目設定ボタン１０４ｃ、バイブレータのＯＮ／ＯＦＦ設定を行うための項目設定ボタン１０４ｄ、繰り返し（１回／毎日）の設定を行うための項目設定ボタン１０４ｅおよび鳴動時間を設定するための項目設定ボタン１０４ｆが配される。
【００５５】
各項目設定ボタン１０４ａ〜１０４ｆが押下されると、それぞれの設定を行うための設定ウィンドウがアラーム設定画面上にポップアップ表示される。ユーザは、設定ウィンドウ上で、各項目設定ボタン１０４ａ〜１０４ｆに対応する項目に係る設定情報を入力できる。たとえば、ボタン１０４ａが押下されると、数字を入力するためのテンキーを有する設定ウィンドウが表示される。ユーザは、テンキーにより鳴動時刻を入力できる。設定が完了すると、設定ウィンドウが閉じられる。各項目設定ボタン１０４ａ〜１０４ｆ上には
、入力された内容が表示される。たとえば、入力された鳴動時刻が、項目設定ボタン１０４ａ上に表示される。
【００５６】
さらに、アラーム設定画面には、繰り上げアラーム時間を設定するための繰り上げ時間設定ボタン１０５が配される。繰り上げアラーム時間は、鳴動時刻を繰り上げる時間である。ユーザは、当日のスケジュールに応じて鳴動時刻の繰り上げを望む場合に、繰り上げアラーム時間を設定する。
【００５７】
繰り上げ時間設定ボタン１０５が押下されると、図４（ｃ）に示すような設定ウィンドウ１０６がアラーム設定画面上にポップアップ表示される。設定ウィンドウ１０６は、時間を進めるフォワードボタン１０７と、時間を戻すバックボタン１０８と、繰り上げ時間を表示する表示ボックス１０９と、完了ボタン１１０を含む。フォワードボタン１０７とバックボタン１０８により時間が入力され、入力された時間が表示ボックス１０９に表示される。完了ボタン１１０が押下されると、設定ウィンドウ１０６が閉じられる。繰り上げ時間設定ボタン１０５上には、入力された時間が繰り上げアラーム時間として表示される。
【００５８】
アラーム設定部２１は、アラーム設定画面上での各種の設定情報の入力、即ち、鳴動時刻、アラーム音、音量、バイブレータのＯＮ／ＯＦＦ、スヌーズのＯＮ／ＯＦＦ、鳴動時間、および繰り上げアラーム時間の入力を受け付ける（Ｓ１０５）。
【００５９】
アラーム設定画面上にも、キャンセルボタン１０２および完了ボタン１０３が配される。アラーム設定部２１は、完了ボタン１０３が押下されると（Ｓ１０６：ＹＥＳ）、受け付けた設定情報をアラーム情報記憶部１２ａに登録する（Ｓ１０７）。これにより、アラーム設定部２１は、選択されたアラームに関して、鳴動時刻等、各種の設定情報の設定を完了する。
【００６０】
アラーム設定部２１は、再び、アラーム一覧画面を表示面３に表示する（Ｓ１０１）。この場合、アラーム設定画面を用いて既に設定されたアラームに関するアラーム設定ボタン１０１については、設定されていないアラームに関するアラーム設定ボタン１０１と区別できるように、たとえば色を変更する等して、表示を変更してもよい。アラーム一覧画面において、別のアラームが選択されると（Ｓ１０３：ＹＥＳ）、そのアラームに関する各種設定を行うため、アラーム設定部２１は、先のアラーム設定画面と同様のアラーム設定画面を表示面３に表示する（Ｓ１０４）。
【００６１】
一方、アラーム一覧画面において、完了ボタン１０３が押下されると（Ｓ１０２：ＹＥＳ）、アラーム設定部２１は、アラーム設定処理を終了する。表示面３には、アラーム一覧画面が表示される前の画面が表示される。
【００６２】
なお、図４（ａ）では、アラーム設定ボタン１０１に、アラーム１、アラーム２・・・と表示されているが、この表示は、ユーザによって適宜変更されてもよい。たとえば、図４（ｂ）のアラーム設定画面に、名称設定ボタンが設けられ、名称設定ボタンが押下されると、文字を入力するためのテンキーを有する設定ウィンドウが表示されてもよい。また、アラーム設定画面には、スヌーズ機能を設定するか否かのための、またはスヌーズ時間等を設定可能なスヌーズ設定ボタンが設けられてもよい。
【００６３】
次に、ユーザは、スケジュールを設定する場合、ホーム画面からスケジュール機能のアプリケーションに対応するアイコンを押下する。これにより、スケジュール機能のアプリケーションが起動する。その後、ユーザにより、新規のスケジュールを設定するための操作がなされると、スケジュール設定部２２により、スケジュール設定処理が実行される。
【００６４】
図５は、スケジュール設定処理の処理手順を示すフローチャートである。図６は、スケジュール設定処理において表示面３に表示される画面の例を示す図である。
【００６５】
図５および図６を参照し、スケジュール設定処理について説明する。
【００６６】
処理が開始されると、スケジュール設定部２２は、図５（ａ）に示すようなスケジュール設定画面を表示面３に表示する（Ｓ２０１）。
【００６７】
スケジュール設定画面には、スケジュールに関する詳細項目を設定するためのボタンとして、たとえば、日時を設定するための項目設定ボタン２０１ａ、用件を設定するための項目設定ボタン２０１ｂ、場所を設定するための項目設定ボタン２０１ｃ、分類を設定するための項目設定ボタン２０１ｄおよびアラームによる通知のＯＮ／ＯＦＦ設定を行うための項目設定ボタン２０１ｅが配される。
【００６８】
各項目設定ボタン２０１ａ〜２０１ｅが押下されると、それぞれの設定を行うための設定ウィンドウがスケジュール設定画面上にポップアップ表示される。ユーザは、設定ウィンドウ上で、各項目設定ボタン２０１ａ〜２０１ｅに対応する項目に係る設定情報を入力できる。たとえば、項目設定ボタン２０１ａが押下されると、数字を入力するためのテンキーを有する設定ウィンドウ表示される。ユーザは、テンキーにより日付と時刻を入力できる。設定が完了すると、設定ウィンドウが閉じられる。各項目設定ボタン２０１ａ〜２０１ｅの横には、各項目設定ボタン２０１ａ〜２０１ｅに対応する表示ボックス２０２ａ〜２０２ｅが設けられる。各項目設定ボタン２０１ａ〜２０１ｅにより入力された内容が、対応する表示ボックス２０２ａ〜２０２ｅに表示される。たとえば、入力された日付と時刻が、表示ボックス２０２ａに表示される。
【００６９】
さらに、スケジュール設定画面には、現在起動されている（鳴動時刻等が設定されている）アラームについて、鳴動時刻を繰り上げるか否かを設定するための繰り上げ設定ボタン２０３が配される。また、繰り上げ設定ボタン２０３の横には、繰り上げ設定ボタン２０３により入力された内容が表示される表示ボックス２０４が配される。ユーザは、設定したスケジュールに基づいて鳴動時刻を繰り上げたい場合に、鳴動時刻を繰り上げる設定を行う。
【００７０】
繰り上げ設定ボタン２０３が押下されると、図６（ｂ）に示すような設定ウィンドウ２０７がスケジュール設定画面上にポップアップ表示される。設定ウィンドウ２０７には、現在起動されているアラームについて、鳴動時刻の繰り上げを行うか否かを選択するためのＯＮボタン２０８およびＯＦＦボタン２０９と、完了ボタン２１０とが配される。ＯＮボタン２０８が押下されると、押下されたＯＮボタン２０８に対応するアラームについて、鳴動時刻の繰り上げを行う設定、即ちＯＮ設定の入力が行われる。一方、ＯＦＦボタン２０９が押下されると、押下されたＯＦＦボタン２０９に対応するアラームについて、鳴動時刻の繰り上げを行わない設定、即ちＯＦＦ設定の入力が行われる。完了ボタン２１０が押下されると、設定ウィンドウ２０７が閉じられる。ＯＮ設定の入力が行われた場合、図６（ｃ）に示すように、表示ボックス２０４に、対象のアラームを示す表示とＯＮ設定を表す表示がなされる。
【００７１】
スケジュール設定部２２は、スケジュール設定画面上での各種の設定情報の入力、即ち、日時、用件、場所、分類、アラーム通知のＯＮ／ＯＦＦの入力を受け付ける（Ｓ２０２）。さらに、スケジュール設定部２２は、鳴動時刻の繰り上げを行うか否かの設定の入力を受け付ける（Ｓ２０２）。
【００７２】
スケジュール設定画面上には、キャンセルボタン２０５および完了ボタン２０６が配される。スケジュール設定部２２は、完了ボタン２０６が押下されると（Ｓ２０３：ＹＥＳ）、受け付けた設定情報をスケジュール情報記憶部１２ｂに登録する（Ｓ２０４）。このようにして、設定されたスケジュール（日時、用件、場所等）に対応付けて、鳴動時刻の繰り上げを行うか否かの設定が行われる。
【００７３】
設定情報の登録が完了すると、スケジュール設定部２２は、スケジュール設定処理を終了する。表示面３には、スケジュール設定画面が表示される前の画面が表示される。
【００７４】
図３および図４を参照して説明したアラーム設定処理により鳴動時刻等が設定されると、設定がなされたアラームに関して、アラーム鳴動処理が実行される。アラーム設定処理は、アラーム制御部２３により実行される。
【００７５】
本実施の形態では、アラーム鳴動処理において、スケジュール機能のアプリケーションにより登録されたスケジュールに関する設定情報が参照され、必要と判定された場合に鳴動時刻が繰り上げられる。
【００７６】
図７（ａ）は、アラーム鳴動処理の処理手順を示すフローチャートである。図７（ｂ）は、アラーム鳴動処理に含まれる繰り上げアラーム実行条件チェック処理の処理手順を示すフローチャートである。
【００７７】
図７（ａ）および（ｂ）を参照し、アラーム鳴動処理について説明する。
【００７８】
処理が開始されると、アラーム制御部２３は、繰り上げアラーム機能の設定がなされているか否かを判定する（Ｓ３０１）。アラーム制御部２３は、アラーム情報記憶部１２ａを参照し、繰り上げアラーム時間が設定されていれば、繰り上げアラーム機能の設定がなされていると判定し、繰り上げアラーム時間が設定されていなければ（時間が「０：００」であれば）、繰り上げアラーム機能の設定がなされていないと判定する。
【００７９】
繰り上げアラーム時間が設定されており、繰り上げアラーム機能の設定がなされていると判定すると（Ｓ３０１：ＹＥＳ）、アラーム制御部２３は、鳴動時刻を繰り上げるか否かを判定する繰り上げ判定時刻になったか否かを判定する（Ｓ３０２）。繰り上げ判定時刻は、繰り上げアラーム時間だけ繰り上げた鳴動時刻より所定時間早い時刻に設定される。所定時間は、鳴動時刻を繰り上げるか否かの判定に要する時間を考慮して定められる。
【００８０】
アラーム制御部２３は、繰り上げ判定時刻になったと判定すると（Ｓ３０２：ＹＥＳ）、繰り上げアラーム実行条件チェック処理を実行する（Ｓ３０３）。
【００８１】
図７（ｂ）に示すように、アラーム制御部２３は、まず、繰り上げアラームフラグをクリアする（Ｓ４０１）。繰り上げアラームフラグは、鳴動時刻の繰り上げを実行する実行条件が満たされているか否かを判定するために用いられるフラグである。
【００８２】
次に、アラーム制御部２３は、スケジュール記憶部１２ｂを参照し、日付が今日であるスケジュールの中に鳴動時刻を繰り上げる設定がなされたスケジュールがあるか否かを判定する（Ｓ４０２）。アラーム制御部２３は、鳴動時刻を繰り上げる設定がなされたスケジュールがある場合（Ｓ４０２：ＹＥＳ）、繰り上げアラームフラグをセットする（Ｓ４０３）。一方、アラーム制御部２３は、鳴動時刻を繰り上げる設定がなされたスケジュールがない場合（Ｓ４０２：ＮＯ）、繰り上げアラームフラグをリセットのままとする。
【００８３】
繰り上げアラーム実行条件チェック処理が終了すると、アラーム制御部２３は、鳴動時
刻の繰り上げを実行する実行条件が満たされているか否か、即ち、繰り上げアラームフラグがセットされているか否かを判定する（Ｓ３０４）。アラーム制御部２３は、繰り上げアラームフラグがセットされており、実行条件が満たされていると判定すると（Ｓ３０４：ＹＥＳ）、アラーム設定部２１により設定された鳴動時刻を、繰り上げアラーム時間だけ繰り上げる（Ｓ３０５）。
【００８４】
その後、アラーム制御部２３は、繰り上げた鳴動時刻になったと判定すると（Ｓ３０６：ＹＥＳ）、外部スピーカ７を作動させて、アラームを鳴動させる（Ｓ３０７）。
【００８５】
一方、アラーム制御部２３は、繰り上げアラームフラグがセットされておらず、実行条件が満たされてないと判定すると（Ｓ３０４：ＮＯ）、アラーム設定部２１により設定された鳴動時刻になったか否かを判定する（Ｓ３０８）。さらに、アラーム制御部２３は、ステップＳ３０１において繰り上げアラームの設定がなされていないと判定した場合にも（Ｓ３０１：ＮＯ）、アラーム設定部２１により設定された鳴動時刻になったか否かを判定する（Ｓ３０８）。アラーム制御部２３は、鳴動時刻になったと判定すると（Ｓ３０８：ＹＥＳ）、外部スピーカ７によりアラームを鳴動させる（Ｓ３０７）。なお、スヌーズ機能が設定されている場合には、アラーム設定画面で設定されたスヌーズ間隔に応じて、スヌーズ機能が動作する。
【００８６】
ユーザは、目覚まし時計としてアラーム機能を利用する場合、図４（ａ）に示すアラーム一覧画面から「アラーム１」を選択する。そして、図４（ｂ）に示すように、アラーム設定画面において、鳴動時刻を起床時刻である「８時３０分」に設定し、繰り返しの項目を「毎日」に設定する。さらに、ユーザは、繰り上げアラーム時間を「３０分（０：３０）」に設定する。
【００８７】
その後、会社の早朝会議の予定が入り、スケジュール機能にてこのスケジュールを管理することとなった場合、ユーザは、図６（ａ）に示すように、スケジュール設定画面において、日時「２０１２年７月１０日  ９：００」、用件「早朝会議」など、所定の項目を設定する。さらに、ユーザは、当日、早朝会議に間に合うよう起床しなければならないため、図６（ｃ）に示すように、繰り上げ設定ボタン１０５により、アラーム１の鳴動時刻を繰り上げる設定を行う。
【００８８】
ユーザにより、アラーム機能およびスケジュール機能において、上記のような設定が行われた場合、毎日（日毎に繰り返して）、設定された鳴動時刻にアラームが鳴動される。ここで、通常の日であれば、８時３０分にアラームが鳴動される。一方、早朝会議が開催される２０１２年７月１０日には、自動的に鳴動時刻が３０分繰り上げられ、８時００分にアラームが鳴動される。
【００８９】
以上、説明した通り、本実施の形態によれば、設定されたスケジュールに応じて、自動的にアラームの鳴動時刻が繰り上げられる。これにより、スケジュールに応じてユーザが鳴動時刻を設定し直さなければならない状況を減らすことができる。よって、ユーザによるアラームの設定作業を軽減することができる。
【００９０】
さらに、本実施の形態によれば、ユーザは、繰り上げ設定ボタン１０５により繰り上げアラーム時間を設定することで、鳴動時刻を繰り上げる時間を所望の時間に設定できる。また、ユーザは、繰り上げアラーム時間を設定するか否かを選択することにより、繰り上げアラームの機能を作動させるか否かを選択することができる。
【００９１】
さらに、本実施の形態によれば、ユーザは、複数の鳴動時刻の設定が可能であり、設定された鳴動時刻毎に、鳴動時刻を繰り上げる時間の設定、および、繰り上げアラームの機
能を作動させるか否かを選択を行うことができる。
【００９２】
＜変更例１＞
図８は、本変更例に係る、スケジュール設定画面を示す図である。
【００９３】
本変更例では、鳴動時刻の繰り上げる要因となるスケジュールの種類、より具体的には、項目設定ボタン２０１ａにより設定される用件の種類に応じて、繰り上げアラーム時間が設定される。
【００９４】
図８に示すように、スケジュール設定画面において、用件の項目設定ボタン２０１ｂが長押しされると、設定ウィンドウ２１１がポップアップ表示される。設定ウィンドウ２１１には、「早朝会議」、「朝のごみ出し」、「朝のジョギング」など、用件に関する選択肢２１２が表示される。さらに、各選択肢２１２の横には、各選択肢２１２に対応する繰り上げ時間２１３が表示される。各繰り上げ時間２１３は、予めユーザにより、所定の設定画面を用いて所望の時間に設定される。
【００９５】
何れかの選択肢２１２が押下されると、設定ウィンドウ２１１が閉じるとともに、選ばれた選択肢２１２の内容が、表示ボックス２０２ｂに表示される。
【００９６】
記憶部１２には、各選択肢２１２に対応付けて繰り上げ時間２１３が記憶されている。スケジュール設定部２２は、用件として設定された選択肢２１２に対応する繰り上げ時間２１３を、アラーム鳴動処理に適用される繰り上げアラーム時間として設定する。スケジュール設定部２２は、本発明の第５設定部に相当する。
【００９７】
本変更例では、アラーム制御部２３は、図７のアラーム鳴動処理のステップＳ３０５において、鳴動時刻を繰り上げる際、繰り上げアラーム時間として繰り上げ時間２１３が設定されている場合に、その繰り上げ時間２１３だけ鳴動時刻を繰り上げる。このとき、アラーム設定画面において繰り上げアラーム時間が設定されている場合は、当該繰り上げアラーム時間に優先して、繰り上げ時間２１３が用いられる。
【００９８】
なお、アラーム制御部２３は、繰り上げアラーム時間として繰り上げ時間２１３が設定されていなければ、アラーム設定画面において設定された繰り上げアラーム時間を用いる。
【００９９】
以上、本変更例によれば、スケジュールの種類に応じて、より細かく鳴動時刻を変更することができる。
【０１００】
なお、図９（ａ）に示すように、アラーム設定画面に繰り上げ時間設定ボタン１０５が設けられず、且つ、図９（ｂ）に示すように、スケジュール設定画面に繰り上げ設定ボタン２０３が設けられない構成が採られてもよい。この場合、選択肢２１２が押下されると、押下された選択肢２１２に対応する繰り上げ時間２１３が繰り上げアラーム時間として設定されるとともに、今回設定されるスケジュールに関して、鳴動時刻の繰り上げを行うとの設定がなされる。
【０１０１】
＜変更例２＞
図１０は、本変更例に係る、スケジュール設定画面を示す図である。図１１は、本変更例に係る、繰り上げアラーム実行条件チェック処理の処理手順を示すフローチャートである。
【０１０２】
本変更例では、図１０に示すように、スケジュール設定画面に天候条件設定ボタン２２
０と表示ボックス２２１が配される。天候条件設定ボタン２２０は、鳴動時刻の繰り上げ判定にスケジュールの実施日の天候条件を加えるか否かの設定（ＯＮ／ＯＦＦ設定）を行うためのボタンである。表示ボックス２２１は、天候条件設定ボタン２２０による設定内容を表示する。
【０１０３】
鳴動時刻の繰り上げの要因となるスケジュールの中には、ジョギングなど、当日の天候が雨となれば中止となるスケジュールも存在し得る。ユーザは、設定されたスケジュールが、ジョギングなど、雨により中止となるようなスケジュールである場合、天候条件設定ボタン２２０により、鳴動時刻の繰り上げ判定に天候条件を加える設定を行う。
【０１０４】
天候条件設定ボタン２２０が押下されると、スケジュール設定画面上に、設定ウィンドウ２２２がポップアップ表示される。設定ウィンドウ２２２は、ＯＮボタン２２３およびＯＦＦボタン２２４を含む。ＯＮボタン２２３が押下されると、鳴動時刻の繰り上げ判定に天候条件を加える設定（ＯＮ設定）の入力が、スケジュール設定部２２により受け付けられ、設定されたスケジュールに対応付けられてスケジュール記憶部１２ｂに登録される。
【０１０５】
図１１に示すように、繰り上げアラーム実行条件チェック処理において、アラーム制御部２３は、鳴動時刻を繰り上げる設定がなされたスケジュールがある場合（Ｓ４０２：ＹＥＳ）、鳴動時刻の繰り上げ判定に天候条件を加える設定がなされているか否かを判定する（Ｓ４０４）。アラーム制御部２３は、天候条件を加える設定がなされている場合（Ｓ４０４：ＹＥＳ）、天気の通報メールの受信が、所定の期間内にあるか否かを判定する（Ｓ４０５）。
【０１０６】
天気の通報メールは、天気が雨、あるいは、所定の降水確率以上となる場合に、天気情報の配信サイトから送信される。ユーザは、予め、天気情報の配信サイトへ通報メールの配信に必要な情報、たとえば、予報の対象となる場所、通報メールの配信時刻などを登録しておく。配信時刻は、上記所定の期間内の時刻とされる。
【０１０７】
アラーム制御部２３は、天気の通報メールの受信がない場合（Ｓ４０５：ＮＯ）、繰り上げアラームフラグをセットし（Ｓ４０３）、天気の通報メールの受信がある場合には（Ｓ４０５：ＹＥＳ）、繰り上げアラームフラグをリセットのままとする。
【０１０８】
このように、鳴動時刻を繰り上げる設定がなされたスケジュールがあっても、天候条件により、そのスケジュールが中止されるような場合には、繰り上げアラームフラグがセットされない。よって、アラームの鳴動時刻は繰り上げられず、アラーム設定部２１により設定された鳴動時刻にアラームが鳴動される。
【０１０９】
以上、本変更例によれば、アラームの鳴動時刻を繰り上げる要因となるスケジュールが中止されるような状況となった場合に、それに合わせて、鳴動時刻の繰り上げを中止することができる。
【０１１０】
＜その他＞
以上、本発明の実施の形態について説明したが、本発明は、上記実施の形態によって何ら制限されるものではなく、また、本発明の実施の形態も、上記以外に種々の変更が可能である。
【０１１１】
たとえば、上記実施の形態では、繰り上げ時間設定ボタン１０５による繰り上げアラーム時間の設定が、繰り上げアラーム機能の設定を兼ねるような構成とされている。しかしながら、図１２（ａ）に示すように、繰り上げ時間設定ボタン１０５とは別に、繰り上げ
アラーム機能の設定を行うための繰り上げ機能設定ボタン１１１がアラーム設定画面に配されてもよい。繰り上げ機能設定ボタン１１１が押下されると、図１２（ｂ）に示すような設定ウィンドウ１１２がアラーム設定画面上にポップアップ表示される。設定ウィンドウ１１２上のＯＮボタン１１３が押下されると、繰り上げアラーム機能が設定され、ＯＦＦボタン１１４が押下されると、繰り上げアラーム機能が設定されない。
【０１１２】
さらに、上記実施の形態では、繰り上げ時間設定ボタン１０５により繰り上げアラーム時間が設定されている場合に、スケジュール設定部２２により設定されたスケジュールの中に鳴動時刻を繰り上げる条件を満たすスケジュールがあると判定されると、鳴動時刻が繰り上げられる。しかしながら、アラーム設定画面に、繰り上げ時間設定ボタン１０５に加えてあるいは替えて、繰り下げ時間設定ボタンが配され、繰り下げ時間設定ボタンにより繰り下げ時間が設定されるような構成とされてもよい。この場合、スケジュール設定画面には、鳴動時刻を繰り下げるか否かを設定するための繰り下げ設定ボタンが配される。繰り下げ設定ボタンを用いて鳴動時刻を繰り下げる設定がなされることにより、アラーム鳴動処理において、スケジュール設定部２２により設定されたスケジュールの中に鳴動時刻を繰り下げる条件を満たすスケジュールがあると判定されると、鳴動時刻が繰り下げられる。
【０１１３】
さらに、上記実施の形態では、繰り上げ設定ボタン２０３により鳴動時刻の変更を行うとの設定（ＯＮ設定）がなされたスケジュールがあるか否かを判定することにより、スケジュール設定部２２により設定されたスケジュールの中に鳴動時刻を変更する条件を満たすスケジュールがあるか否かが判定される。しかしながら、項目設定ボタン２０１ａにより設定された日時により、スケジュール設定部２２により設定されたスケジュールの中に鳴動時刻を変更する条件を満たすスケジュールがあるか否かが判定されるような構成とされてもよい。この場合、たとえば、アラーム制御部２３は、スケジュールの日付が今日であって、スケジュールの時刻と鳴動時刻との差が所定時間より短いスケジュールがある場合に、鳴動時刻を繰り上げる。
【０１１４】
さらに、上記変更例２では、天気の通報メールが受信されたか否かにより、鳴動時刻の繰り上げを中止するか否かが判定される。即ち、上記変更例２では、天候条件が、鳴動時刻を変更する条件を満たすスケジュールが中止される中止条件とされている。しかしながら、天候条件に限らず他の中止条件が満たされたか否かが判定され、この判定に基づいて、鳴動時刻の繰り上げが中止されるような構成とされてもよい。
【０１１５】
本発明は、携帯電話機に限られず、ＰＤＡ（Personal DigitalAssistant）、タブレットＰＣ（Tablet PC）、電子書籍端末等の各種の携帯端末装置に適用可能である。
【０１１６】
この他、本発明の実施形態は、特許請求の範囲に示された技術的思想の範囲内において、適宜、種々の変更が可能である。
【符号の説明】
【０１１７】
７  外部スピーカ（報知部）
１１  制御部
２１  アラーム設定部（第１設定部、第３設定部、第４設定部）
２２  スケジュール設定部（第２設定部、第５設定部）
２３  アラーム制御部（判定部、時刻変更部、作動制御部）
【図１】
2014027503.tif 000003
【図２】
2014027503.tif 000004
【図３】
2014027503.tif 000005
【図４】
2014027503.tif 000006
【図５】
2014027503.tif 000007
【図６】
2014027503.tif 000008
【図７】
2014027503.tif 000009
【図８】
2014027503.tif 000010
【図９】
2014027503.tif 000011
【図１０】
2014027503.tif 000012
【図１１】
2014027503.tif 000013
【図１２】
2014027503.tif 000014